(57)【要約】【課題】光を広角化させる構成において、光学性能の低下を低減でき、高品質な画像を得ることが可能なプロジェクタを提供すること。【解決手段】画像信号に応じた光を広角化させる広角化光学素子である非球面ミラー１４と、広角化光学素子、又は広角化光学素子の周辺の温度を検出する温度検出部と、温度検出部による検出結果に基づいて、広角化光学素子、又は広角化光学素子の周辺の温度を調節する温度調節部と、を有し、温度調節部は、広角化光学素子、又は広角化光学素子の周辺を冷却する冷却部を備える。【選択図】図１
2008145623.tif 000002
【特許請求の範囲】
【請求項１】
画像信号に応じた光を広角化させる広角化光学素子と、
前記広角化光学素子、又は前記広角化光学素子の周辺の温度を検出する温度検出部と、
前記温度検出部による検出結果に基づいて、前記広角化光学素子、又は前記広角化光学素子の周辺の温度を調節する温度調節部と、を有することを特徴とするプロジェクタ。
【請求項２】
前記温度調節部は、前記広角化光学素子を冷却する冷却部を備えることを特徴とする請求項１に記載のプロジェクタ。
【請求項３】
光を供給する光源部を有し、前記光源部からの熱を用いて前記広角化光学素子を加熱することを特徴とする請求項１又は２に記載のプロジェクタ。
【請求項４】
前記広角化光学素子は、前記光源部の近傍に配置されることを特徴とする請求項３に記載のプロジェクタ。
【請求項５】
前記温度調節部は、前記広角化光学素子を加熱する加熱部を備えることを特徴とする請求項１〜４のいずれか一項に記載のプロジェクタ。
【請求項６】
前記温度調節部は、さらに前記広角化光学素子以外の他の構成の温度を調節することを特徴とする請求項１〜５のいずれか一項に記載のプロジェクタ。
【請求項７】
前記温度検出部による検出結果に基づいて、前記画像信号を調整することを特徴とする請求項１〜６のいずれか一項に記載のプロジェクタ。
【請求項８】
前記温度調節部は、前記広角化光学素子、又は前記広角化光学素子の周辺の温度を略一定とする調節を行うことを特徴とする請求項１〜７のいずれか一項に記載のプロジェクタ。
【請求項９】
前記温度調節部は、前記広角化光学素子、又は前記広角化光学素子の周辺の温度を調節することにより、前記広角化光学素子の形状を基準状態とすることを特徴とする請求項１〜７のいずれか一項に記載のプロジェクタ。
【発明の詳細な説明】
【技術分野】
【０００１】
本発明は、プロジェクタ、特に、超短焦点の投写光学系を採用するプロジェクタの技術に関する。
【背景技術】
【０００２】
近年、フロント投写型のプロジェクタやリアプロジェクタにおいて、投写距離を短くさせた超短焦点の投写光学系を採用する構成が提案されている。フロント投写型のプロジェクタにおいて超短焦点の投写光学系を採用すると、高い自由度でプロジェクタを設置できるという利点が得られる。リアプロジェクタにおいて超短焦点の投写光学系を採用すると、リアプロジェクタを薄型にできるという利点が得られる。超短焦点の投写光学系には、非球面形状を備える非球面ミラーを用いることができる。非球面ミラーを用いる投写光学系の技術は、例えば、特許文献１に提案されている。
【０００３】
【特許文献１】特開２００２−４０３２６号公報
【発明の開示】
【発明が解決しようとする課題】
【０００４】
非球面ミラーを用いて光を広角化させる場合、光を広角化させる度合いが大きいほど、非球面ミラーの変形が光学性能へ及ぼす影響は大きくなる。例えば非球面ミラーの周囲の温度が変化することにより非球面ミラーの形状が変化したとすると、高品質な画像を表示することが困難となる。非球面ミラーは、樹脂部材からなる基材に高反射性部材をコーティングすることで形成されるのが一般的である。樹脂部材は、例えばガラス部材と比較すると１桁高い熱膨張率を示すように、高い熱膨張率を持つことが知られている。このため、樹脂部材を基材とする一般的な非球面ミラーは、温度変化の影響を受け易いといえる。以上から、従来の技術によると、光を広角化させる構成において光学性能の低下、画質の低下が引き起こされる場合があるという問題を生じる。本発明は、上述の問題に鑑みてなされたものであり、光を広角化させる構成において、光学性能の低下を低減でき、高品質な画像を得ることが可能なプロジェクタを提供することを目的とする。
【課題を解決するための手段】
【０００５】
上述した課題を解決し、目的を達成するために、本発明によれば、画像信号に応じた光を広角化させる広角化光学素子と、広角化光学素子、又は広角化光学素子の周辺の温度を検出する温度検出部と、温度検出部による検出結果に基づいて、広角化光学素子、又は広角化光学素子の周辺の温度を調節する温度調節部と、を有することを特徴とするプロジェクタを提供することができる。
【０００６】
広角化光学素子とは、入射光の角度範囲に対して広い角度範囲の光を出射させる光学素子を指すものとする。温度検出部による検出結果に基づいて広角化光学素子、又は広角化光学素子の周辺の温度を調節することで、温度変化に伴う広角化光学素子の変形によって生じる光学性能の低下を低減できる。光学性能の低下を低減させることで、高品質な画像を表示することが可能となる。これにより、光学性能の低下を低減でき、高品質な画像を得ることが可能なプロジェクタを得られる。本発明は、特に、大きく光を広角化させる広角化光学素子により超短焦点を実現する場合に好適である。温度変化による変形を起こしにくい高価な部材を用いて広角化光学素子を形成する必要も無いため、低コストにすることもできる。
【０００７】
また、本発明の好ましい態様としては、温度調節部は、広角化光学素子を冷却する冷却部を備えることが望ましい。プロジェクタの筐体内は、光源部等が発生させる熱による温度上昇の影響を大きく受けることになる。また、プロジェクタの周辺温度が上昇するに従い、プロジェクタの筐体内の温度も上昇することとなる。かかる温度上昇に対して冷却部を駆動させることにより、広角化光学素子、又は広角化光学素子の周辺の温度を調節できる。
【０００８】
また、本発明の好ましい態様としては、光を供給する光源部を有し、光源部からの熱を用いて広角化光学素子を加熱することが望ましい。プロジェクタの周辺温度が低下するに従い、プロジェクタの筐体内の温度も低下することとなる。かかる温度低下に対して光源部から広角化光学素子へ熱を伝えることで、広角化光学素子、又は広角化光学素子の周辺の温度を調節できる。温度の調節に光源部を用いることで加熱のための新たな構成が不要となるため、少ない部品点数による温度調節が可能となる。
【０００９】
また、本発明の好ましい態様としては、広角化光学素子は、光源部の近傍に配置されることが望ましい。これにより、光源部から広角化光学素子へ熱を伝え易くすることができる。
【００１０】
また、本発明の好ましい態様としては、温度調節部は、広角化光学素子を加熱する加熱部を備えることが望ましい。プロジェクタの周辺温度の低下に対して加熱部を駆動させることにより、広角化光学素子、又は広角化光学素子の周辺の温度を調節できる。例えば冷却部及び加熱部の制御により、広角化光学素子、又は広角化光学素子の周辺の温度の調節を正確に行うことが可能となる。これにより、温度変化に伴う広角化光学素子の変形をさらに低減できる。
【００１１】
また、本発明の好ましい態様としては、温度調節部は、さらに広角化光学素子以外の他の構成の温度を調節することが望ましい。広角化光学素子以外の他の構成、例えば光源部を冷却するための構成を広角化光学素子の冷却にも利用することが可能である。広角化光学素子の冷却のための新たな構成が不要となるため、少ない部品点数による広角化光学素子及び他の構成の温度調節を可能にできる。
【００１２】
また、本発明の好ましい態様としては、温度検出部による検出結果に基づいて、画像信号を調整することが望ましい。これにより、温度調節部による十分な温度調節がなされるまでの間においても、光学性能の低下を低減でき、高品質な画像を得ることができる。
【００１３】
また、本発明の好ましい態様としては、温度調節部は、広角化光学素子、又は広角化光学素子の周辺の温度を略一定とする調節を行うことが望ましい。これにより、温度変化に伴う広角化光学素子の変形を低減できる。
【００１４】
また、本発明の好ましい態様としては、温度調節部は、広角化光学素子、又は広角化光学素子の周辺の温度を調節することにより、広角化光学素子の形状を基準状態とすることが望ましい。これにより、温度変化のみならず他の事由、例えば広角化光学素子の周辺の湿度変化による広角化光学素子の変形、広角化光学素子の個体差、広角化光学素子の経時変化等に起因する光学性能の低下をも低減可能とし、さらに高品質な画像を得られる。
【発明を実施するための最良の形態】
【００１５】
以下に図面を参照して、本発明の実施例を詳細に説明する。
【実施例】
【００１６】
図１は、本発明の実施例に係るプロジェクタ１０の概略構成を示す。プロジェクタ１０は、画像信号に応じた光を投写させるフロント投写型のプロジェクタである。プロジェクタ１０は、壁面Ｗ近くのキャビネットＣ上に配置されている。プロジェクタ１０は、被照射面に近い位置、例えばスクリーン１６が配置された壁面Ｗから数十ｃｍ程度の位置から近接投写を行う。プロジェクタ１０は、光学エンジン１１を有する。
【００１７】
図２は、光学エンジン１１の構成を示す。光源部２０は、赤色光（以下、「Ｒ光」という。）、緑色光（以下、「Ｇ光」という。）、及び青色光（以下、「Ｂ光」という。）を含む光を供給する超高圧水銀ランプである。第１インテグレータレンズ２１及び第２インテグレータレンズ２２は、アレイ状に配列された複数のレンズ素子を有する。第１インテグレータレンズ２１は、光源部２０からの光束を複数に分割する。第１インテグレータレンズ２１の各レンズ素子は、光源部２０からの光束を第２インテグレータレンズ２２のレンズ素子近傍にて集光させる。第２インテグレータレンズ２２のレンズ素子は、第１インテグレータレンズ２１のレンズ素子の像を空間光変調装置上に形成する。
【００１８】
２つのインテグレータレンズ２１、２２を経た光は、偏光変換素子２３にて特定の振動方向を有する偏光光に変換される。重畳レンズ２４は、第１インテグレータレンズ２１の各レンズ素子の像を空間光変調装置上で重畳させる。第１インテグレータレンズ２１、第２インテグレータレンズ２２及び重畳レンズ２４は、光源部２０からの光の強度分布を空間光変調装置上にて均一化させる。重畳レンズ２４からの光は、反射ミラー２５で反射した後、第１ダイクロイックミラー２６へ入射する。
【００１９】
第１ダイクロイックミラー２６は、Ｒ光を反射させ、Ｇ光及びＢ光を透過させる。第１ダイクロイックミラー２６で反射したＲ光は、反射ミラー２７で反射した後、フィールドレンズ２８へ入射する。フィールドレンズ２８は、反射ミラー２７からのＲ光を平行化し、Ｒ光用空間光変調装置２９Ｒへ入射させる。Ｒ光用空間光変調装置２９Ｒは、Ｒ光を画像信号に応じて変調する空間光変調装置であって、透過型液晶表示装置である。Ｒ光用空間光変調装置２９Ｒで変調されたＲ光は、色合成光学系であるクロスダイクロイックプリズム３０へ入射する。
【００２０】
第１ダイクロイックミラー２６を透過したＧ光及びＢ光は、第２ダイクロイックミラー３１へ入射する。第２ダイクロイックミラー３１は、Ｇ光を反射させ、Ｂ光を透過させる。第２ダイクロイックミラー３１を反射したＧ光は、フィールドレンズ２８で平行化された後、Ｇ光用空間光変調装置２９Ｇへ入射する。Ｇ光用空間光変調装置２９Ｇは、Ｇ光を画像信号に応じて変調する空間光変調装置であって、透過型液晶表示装置である。Ｇ光用空間光変調装置２９Ｇで変調されたＧ光は、Ｒ光とは異なる側からクロスダイクロイックプリズム３０へ入射する。
【００２１】
第２ダイクロイックミラー３１を透過したＢ光は、２枚のリレーレンズ３２、３４及び２枚の反射ミラー３３、３５を経た後、フィールドレンズ２８へ入射する。Ｂ光の光路は、Ｒ光の光路及びＧ光の光路よりも長い。空間光変調装置における照明倍率をＲ光及びＧ光と等しくするために、Ｂ光の光路には、リレーレンズ３２、３４を用いるリレー光学系が採用されている。フィールドレンズ２８で平行化されたＢ光は、Ｂ光用空間光変調装置２９Ｂへ入射する。Ｂ光用空間光変調装置２９Ｂは、Ｂ光を画像信号に応じて変調する空間光変調装置であって、透過型液晶表示装置である。Ｂ光用空間光変調装置２９Ｂで変調されたＢ光は、Ｒ光、Ｇ光とは異なる側からクロスダイクロイックプリズム３０へ入射する。
【００２２】
クロスダイクロイックプリズム３０は、互いに略直交するように配置された２つのダイクロイック膜３６、３７を有する。第１ダイクロイック膜３６は、Ｒ光を反射させ、Ｇ光及びＢ光を透過させる。第２ダイクロイック膜３７は、Ｂ光を反射させ、Ｒ光及びＧ光を透過させる。クロスダイクロイックプリズム３０は、それぞれ異なる側から入射したＲ光、Ｇ光及びＢ光を合成する。投写レンズ１２は、クロスダイクロイックプリズム３０で合成された光を投写する。
【００２３】
透過型液晶表示装置としては、例えば高温ポリシリコンＴＦＴ液晶パネル（High  Temperature  Polysilicon；ＨＴＰＳ）を用いることができる。光学エンジン１１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクタ１０は、色光ごとに空間光変調装置を備える構成に限られない。プロジェクタ１０は、一の空間光変調装置により２つ又は３つの色光を変調する構成としても良い。また、光学エンジン１１は、光源部として超高圧水銀ランプを用いる場合に限られない。光源部としては、他のランプやＬＥＤ等の固体光源、レーザ等を用いても良い。
【００２４】
図１に戻って、平面ミラー１３は、投写レンズ１２及び非球面ミラー１４に対向する位置に設けられている。平面ミラー１３は、反射により投写レンズ１２からの光を非球面ミラー１４の方向へ折り返す。平面ミラー１３は、平板形状を有する。平面ミラー１３は、平行平板上に反射膜を形成することにより構成できる。非球面ミラー１４は、反射により平面ミラー１３からの光を広角化させる広角化光学素子であって、非球面形状の曲面を有する。広角化光学素子とは、入射光の角度範囲に対して広い角度範囲の光を出射させる光学素子を指すものとする。
【００２５】
非球面ミラー１４は、画像信号に応じて変調された光を広角化させる機能、及び平面ミラー１３からの光を折り曲げてスクリーン１６の方向へ進行させる機能を有する。非球面ミラー１４は、例えば、樹脂部材等を有する基材上に反射膜を形成することにより構成できる。平面ミラー１３、非球面ミラー１４に用いられる反射膜としては、高反射性の部材の層、例えばアルミニウム等の金属部材の層や誘電体多層膜等を用いることができる。また、反射膜の上には、透明部材を有する保護膜を形成することとしても良い。
【００２６】
非球面ミラー１４は、曲面形状とすることで、光の折り曲げと広角化とを同時に行うことが可能となる。投写レンズ１２のみならず非球面ミラー１４によっても光を広角化させることで、投写レンズ１２のみにより光を広角化させる場合よりも投写レンズ１２を小型にすることができる。投写レンズ１２及び非球面ミラー１４は、画像の拡大とスクリーン１６における結像とを行っている。投写レンズ１２は、画像の拡大及びスクリーン１６における結像の機能を果たす。非球面ミラー１４は、画像の拡大の機能を果たす。非球面ミラー１４は、画像の歪みを補正できるように適宜変形させても良い。
【００２７】
筐体１７は、光学エンジン１１、投写レンズ１２、平面ミラー１３及び非球面ミラー１４を収納する。出射部１５は、画像信号に応じて変調された光を筐体１７からスクリーン１６へ向けて出射させる。出射部１５は、筐体１７に設けられた開口を透明部材により覆うことで構成されている。スクリーン１６は、画像信号に応じて変調された光を反射させる反射型のスクリーンである。スクリーン１６は、観察者が存在する所望の範囲において光を拡散可能とすることで、良好な視野角特性を持たせることが可能となる。
【００２８】
プロジェクタ１０は、キャビネットＣの他、例えば床面、机、ラック等に設置することとしても良い。プロジェクタ１０はコンパクトな構成であるため、容易に設置場所を確保することができる。壁面Ｗ近くにプロジェクタ１０を設置可能とすることで、狭い室内であっても大画面を表示することができる。
【００２９】
図３は、プロジェクタ１０の光学系を模式的に表したものである。ここでは光軸ＡＸを一直線状に表すために、平面ミラー１３における光路の折り曲げについての図示を省略している。投写レンズ１２及び非球面ミラー１４は、光軸が略一致するように配置されている。スクリーン１６の法線Ｎは、投写レンズ１２の光軸及び非球面ミラー１４の光軸と略平行である。投写レンズ１２及び非球面ミラー１４は、いずれも共通の光軸ＡＸを持つ、いわゆる共軸光学系を構成している。また、プロジェクタ１０は、画像信号に応じて変調された光を光軸ＡＸに対して特定の側へシフトさせて進行させる、いわゆるシフト光学系を構成している。
【００３０】
具体的には、画像信号に応じて変調された光を光軸ＡＸに対して図３の紙面上側へシフトさせて進行させている。一方、光学エンジン１１中のクロスダイクロイックプリズム３０の出射面に仮想的に形成される像面の中心法線は、光軸ＡＸに対して平行であり、かつ特定の側とは反対側、即ち光軸ＡＸに対して図３における紙面下側にシフトしている。かかる構成により、プロジェクタ１０は、スクリーン１６に対して大きな入射角をなす光を入射させる。入射角は、スクリーン１６の法線Ｎと入射光線とがなす角度である。
【００３１】
共軸光学系を採用することにより、通常の共軸系の設計手法を採用することが可能である。よって、光学系の設計工数を少なくし、かつ収差が少ない光学系を実現することができる。非球面ミラー１４は、光軸ＡＸに関して略回転対称な形状、例えば、円錐形状のうち頂点部以外の一部を切り取った形状とすることができる。非球面ミラー１４を光軸ＡＸに関して略回転対称な形状とすることで、非球面ミラー１４の光軸と他の構成の光軸とを容易に一致させることが可能となる。非球面ミラー１４は軸対称の非球面形状となることから、旋盤等の簡易な手法により加工を行うことができる。よって、非球面ミラー１４を容易かつ高い精度で製造することができる。
【００３２】
プロジェクタ１０は、非球面ミラー１４を用いることで、画角θを少なくとも１５０度以上、例えば１６０度とする超広角化を実現している。さらに、超広角化させたうちの一部の角度範囲のみを使用するシフト光学系を採用することで、光の進行方向を揃えることが可能である。本実施例の場合、例えば、スクリーン１６における最小入射角は７０度、最大入射角は８０度となる。シフト光学系を採用することにより、スクリーン１６へ入射する光の角度差を１０度程度以内とすることが可能となる。
【００３３】
図４は、プロジェクタ１０の筐体１７内の構成について説明するものである。プロジェクタ１０の筐体１７内は、光源部２０等が発生させる熱による温度上昇の影響を大きく受けることとなる。また、プロジェクタ１０の周辺温度が上昇するに従い、プロジェクタ１０の筐体１７内の温度も上昇することとなる。非球面ミラー１４の基材を構成する樹脂部材は、成形が容易である一方、高い熱膨張率を持つ。このため、温度上昇に伴い非球面ミラー１４の基材が膨張することで、非球面ミラー１４の反射面が変形する場合がある。
【００３４】
図５は、非球面ミラー１４の変形による光学性能の低下について説明するものである。ここでは、平面ミラー１３の反射面及び非球面ミラー１４の反射面を、反射面に垂直な断面における線分としてそれぞれ表している。例えば、非球面ミラー１４が、平面ミラー１３の反射面Ｓ１からの光を図中破線矢印で示す方向へ進行させるべく、非球面ミラー１４の反射面Ｓ２が設計されたとする。この場合において非球面ミラー１４の基材の膨張により設計上の反射面Ｓ２とは異なる形状となった反射面Ｓ３へ入射した光は、所望の方向とは異なる方向へ進行することとなる。特に、光を大きく広角化させる非球面ミラー１４の場合、僅かな変形であっても光学性能へ及ぼす影響が大きくなることがある。非球面ミラー１４のうちスクリーン１６（図３参照）の上隅部へ光を反射させる部分が変形した場合、スクリーン１６の上隅部において画像が大きく歪むこととなる。
【００３５】
図４に戻って、ファン４０は、非球面ミラー１４に対して反射面とは反対側の空間に設けられている。ファン４０は、非球面ミラー１４の周辺の空気を流動させることにより非球面ミラー１４を冷却する冷却部であって、非球面ミラー１４の周辺の温度を調節する温度調節部である。ファン４０は、中心軸を中心として羽根部材を回転させることで、空気を流動させる。
【００３６】
図６は、非球面ミラー１４の周辺の温度を調節するための構成について説明するものである。ファン４０は、白抜き矢印で示すように非球面ミラー１４の周辺の空気を流動させる。第１温度検出部４１、第２温度検出部４２は、広角化光学素子である非球面ミラー１４の周辺の温度を検出する温度検出部である。第１温度検出部４１は、非球面ミラー１４の入射面の近傍に設けられている。第１温度検出部４１は、非球面ミラー１４の入射側の周辺の温度を検出する。第２温度検出部４２は、非球面ミラー１４の入射面とは反対側の面の近傍に設けられている。第２温度検出部４２は、非球面ミラー１４の入射側とは反対側の周辺の温度を検出する。
【００３７】
図７は、非球面ミラー１４の周辺の温度を調節するためのブロック構成を示す。第１温度検出部４１による検出結果、及び第２温度検出部４２による検出結果は、温度制御部４３へ入力される。温度制御部４３は、第１温度検出部４１、第２温度検出部４２による検出結果に応じて、ファン駆動部４４を制御する。ファン駆動部４４は、温度制御部４３による制御に応じてファン４０を駆動させる。
【００３８】
例えば、基準として設定された基準温度に対して高い温度が検出された場合、温度制御部４３は、ファン駆動部４４の制御によりファン４０の回転を開始させる。ファン４０を回転させる速度は、基準温度に対する温度の上昇幅に応じて適宜調整される。このようにして、温度調節部であるファン４０は、第１温度検出部４１及び第２温度検出部４２による検出結果に基づいて、非球面ミラー１４の周辺の温度を調節する。
【００３９】
第１温度検出部４１及び第２温度検出部４２による検出結果に基づいて非球面ミラー１４の周辺の温度を調節することで、温度変化に伴う非球面ミラー１４の変形によって生じる光学性能の低下を低減できる。光学性能の低下を低減させることで、高品質な画像を表示することが可能となる。これにより、光学性能の低下を低減でき、高品質な画像を得られるという効果を奏する。本発明は、特に、大きく光を広角化させることで超短焦点を実現するための非球面ミラー１４を用いる場合に好適である。温度変化による変形を起こしにくい高価な部材を用いて非球面ミラー１４を形成する必要も無いため、低コストにすることもできる。
【００４０】
次に、基準温度に対して低い温度が検出された場合、温度制御部４３は、ファン駆動部４４の制御によりファン４０の回転を停止させる。さらに、例えばプロジェクタ１０の周辺温度が低下したとすると、プロジェクタ１０の筐体１７内の温度も低下することとなる。筐体１７内の温度が低下した場合、温度低下に伴い非球面ミラー１４の基材が収縮することで、非球面ミラー１４の反射面が変形する場合がある。
【００４１】
図６に戻って、光源部２０は、非球面ミラー１４の反射面とは反対側の近傍に配置されている。ファン４０の回転を停止させると、光源部２０からの熱は、黒塗り矢印で示す空気の自然対流によって非球面ミラー１４へ伝えられる。非球面ミラー１４は、光源部２０からの熱を用いて加熱される。光源部２０からの熱を用いた加熱により、温度低下に対して非球面ミラー１４の周辺の温度を調節できる。温度の調節に光源部２０を用いることで加熱のための新たな構成が不要となるため、少ない部品点数による温度調節が可能となる。光源部２０の近傍に非球面ミラー１４を配置することで、光源部２０から非球面ミラー１４へ熱を伝え易くすることができる。
【００４２】
さらに非球面ミラー１４の周辺が基準温度より高い温度に到達した場合、温度制御部４３は、再びファン４０の回転を開始させる。このようにして温度調節部であるファン４０は、非球面ミラー１４の周辺の温度を略一定とする調節を行う。これにより、温度変化に伴う非球面ミラー１４の変形を低減できる。
【００４３】
温度検出部である第１温度検出部４１及び第２温度検出部４２の位置は図示するものに限られず、適宜決定することができる。温度検出部は２つである場合に限られず、１つであっても良く、３つ以上であっても良い。また、温度検出部は、非球面ミラー１４の周辺の温度を検出する場合に限られない。例えば図８に示す温度検出部５１は、非球面ミラー１４自体の温度を検出する。温度検出部５１は、非球面ミラー１４の反射面上であって、光が入射する位置以外の位置に配置されている。この場合も、温度調節部であるファン４０により非球面ミラー１４の温度を略一定とする調節を行うことで、温度変化に伴う非球面ミラー１４の変形を低減できる。
【００４４】
冷却部としては、ファン４０を用いる場合に限られない。冷却部として、ファン４０以外の構成であって空気を流動させるものを用いても良い。また、冷却部は、空気を流動させるものに限られない。冷却部として、例えば、熱を移動させることが可能なペルチェ素子等を用いても良い。例えば図９に示すように、冷却部であるペルチェ素子５２は、非球面ミラー１４に当接させて配置することとしても良い。ペルチェ素子５２は、非球面ミラー１４のうち反射面とは反対側の面の略中央に配置されている。これにより、非球面ミラー１４自体の冷却により、非球面ミラー１４の温度を調節することができる。
【００４５】
光源部２０からの熱により加熱を行うには、空気の自然対流によって光源部２０から非球面ミラー１４へ熱を伝える他、図１０に示すようにファン４０を用いることとしても良い。ファン４０は、非球面ミラー１４を冷却する場合とは逆向きに羽根部材を回転させることにより、黒塗り矢印で示すように非球面ミラー１４の周辺の空気をファン４０の側へ流動させる。非球面ミラー１４の周辺の空気をファン４０の側へ流動させることで、黒塗り矢印で示すように、光源部２０から非球面ミラー１４へ空気を流動させる。このようにして、光源部２０から非球面ミラー１４へ熱を伝えることができる。さらに非球面ミラー１４の周辺が基準温度より高い温度に到達した場合、温度制御部４３は、非球面ミラー１４を冷却する場合の向きにファン４０の羽根部材を回転させる。これにより、非球面ミラー１４の周辺の温度を略一定とする調節を行うことができる。
【００４６】
非球面ミラー１４の加熱には、光源部２０を用いる場合に限られない。図１１に示すように、ヒータ５３を設けても良い。ヒータ５３は、非球面ミラー１４を加熱する加熱部であって、非球面ミラー１４の周辺の温度を調節する温度調節部である。ヒータ５３からの熱は、空気の自然対流又はファン４０を用いた空気の流動により、黒塗り矢印で示すように非球面ミラー１４へ伝えられる。
【００４７】
図１２は、非球面ミラー１４の周辺の温度を調節するためのブロック構成を示す。温度制御部４３は、第１温度検出部４１、第２温度検出部４２による検出結果に応じて、ファン駆動部４４の他、ヒータ駆動部５４を制御する。ヒータ駆動部５４は、温度制御部４３による制御に応じてヒータ５３を駆動させる。
【００４８】
例えば、基準温度に対して低い温度が検出された場合、温度制御部４３は、ヒータ駆動部５４の制御によりヒータ５３の運転を開始させる。ヒータ５３による加熱の度合いは、基準温度に対する温度の低下幅に応じて適宜調整される。このようにして、温度調節部であるヒータ５３は、第１温度検出部４１及び第２温度検出部４２による検出結果に基づいて、非球面ミラー１４の周辺の温度を調節する。特に、冬期や寒冷地においてプロジェクタ１０を使用する場合に、ヒータ５３を用いた温度調節は有用である。
【００４９】
さらに非球面ミラー１４の周辺が基準温度より高い温度に到達した場合、温度制御部４３は、ヒータ５３の運転を停止させるとともに、ファン４０の運転を開始させる。ファン４０及びヒータ５３の制御により、非球面ミラー１４の周辺の温度を略一定とする調節を正確に行うことが可能となる。これにより、温度変化に伴う非球面ミラー１４の変形をさらに低減できる。ヒータ５３は、非球面ミラー１４の周辺に配置される場合に限られず、非球面ミラー１４に当接させて配置することとしても良い。
【００５０】
温度調節部は、非球面ミラー１４のみの温度を調節するものである場合に限られない。温度調節部は、さらに非球面ミラー１４以外の他の構成の温度を調節するものであっても良い。例えば、図１３に示すファン６０は、非球面ミラー１４以外の他の構成である光学エンジン、特に光源部２０を冷却する。ファン６０により白抜き矢印で示すように非球面ミラー１４及び光源部２０へと空気を流動させることで、ファン６０を非球面ミラー１４の冷却にも利用できる。非球面ミラー１４の冷却のための新たな構成が不要となるため、少ない部品点数による非球面ミラー１４及び光源部２０の温度調節を可能にできる。温度調節部であるヒータについても、ファン６０の場合と同様に、非球面ミラー１４以外の他の構成を加熱するものとしても良い。
【００５１】
温度調節部は、非球面ミラー１４、又は非球面ミラー１４の周辺の温度を略一定とする調節を行う場合に限られない。温度調節部は、非球面ミラー１４、又は非球面ミラー１４の周辺の温度を調節することにより、非球面ミラー１４の形状を基準状態とすることとしても良い。例えば、非球面ミラー１４の基材を構成する樹脂部材の吸湿性次第では、周辺の湿度変化によって非球面ミラー１４が変形する場合がある。また、非球面ミラー１４の経時変化や製造時における個体差が生じる場合もある。このように、温度変化以外の事由によっても、光学性能の低下が引き起こされる場合がある。
【００５２】
このような非球面ミラー１４の状態により引き起こされる光学性能の低下に対して、非球面ミラー１４、又は非球面ミラー１４の周辺の温度を調節することにより、良好な光学性能を得ることが可能な基準状態に非球面ミラー１４の形状を調整することが可能である。これにより、温度変化のみならず他の事由に起因する光学性能の低下をも低減可能とし、さらに高品質な画像を得られる。
【００５３】
図１４は、本実施例の変形例に係るプロジェクタの特徴的部分であるブロック構成を示す。本変形例のプロジェクタは、温度検出部による検出結果に基づいて、画像信号を調整することを特徴とする。第１温度検出部４１による検出結果、及び第２温度検出部４２による検出結果は、温度制御部４３のみならず画像処理部７０へも入力される。画像処理部７０は、第１温度検出部４１、第２温度検出部４２による検出結果に応じて画像信号を調整する。各空間光変調装置２９Ｒ、２９Ｇ、２９Ｂは、画像処理部７０で処理された画像信号に応じて駆動される。
【００５４】
例えばプロジェクタの起動前にプロジェクタが高温又は低温に晒されることにより、プロジェクタの起動時において非球面ミラー１４が変形している場合があり得る。プロジェクタの起動時に温度調節部による温度調節を行ったとしても、非球面ミラー１４の周囲の温度が基準温度となるまでの間、画像には歪曲が生じることとなる。
【００５５】
画像処理部７０には、非球面ミラー１４の周辺の温度と画像の歪曲度合いとの関係を予め記憶させる。画像処理部７０は、第１温度検出部４１、第２温度検出部４２による検出結果に応じて画像の歪曲度合いを割り出し、かかる歪曲を補正するべく画像信号の変換を行う。これにより、温度調節部による十分な温度調節がなされるまでの間、特にプロジェクタの起動時において、光学性能の低下を低減でき、高品質な画像を得ることができる。
【００５６】
広角化光学素子は、入射光の角度範囲に対して広い角度範囲の光を出射させる光学素子であれば良く、非球面ミラー１４である場合に限られない。広角化光学素子としては、非球面ミラー１４の他、超広角化レンズや回折光学素子等を用いることとしても良い。プロジェクタの光学系は、本実施例で説明する構成以外の構成であっても良い。光学系は、広角化光学素子を用いるものであれば良い。例えば、光学系は超短焦点の光学系であれば良く、シフト光学系である場合に限られない。
【００５７】
また、光学系は共軸光学系である場合に限られず、光軸を持たない非共軸光学系であっても良い。この場合も、温度変化に伴う広角化光学素子の変形によって生じる光学性能の低下を低減できる。プロジェクタは、スクリーンの一方の面にレーザ光を供給し、スクリーンの他方の面から出射される光を観察することで画像を鑑賞する、いわゆるリアプロジェクタであっても良い。
【産業上の利用可能性】
【００５８】
以上のように、本発明に係るプロジェクタは、超短焦点の投写光学系を採用する場合に適している。
【図面の簡単な説明】
【００５９】
【図１】本発明の実施例に係るプロジェクタの概略構成を示す図。
【図２】光学エンジンの構成を示す図。
【図３】プロジェクタの光学系を模式的に表した図。
【図４】プロジェクタの筐体内の構成について説明する図。
【図５】非球面ミラーの変形による光学性能の低下について説明する図。
【図６】非球面ミラーの周辺の温度を調節するための構成について説明する図。
【図７】非球面ミラーの周辺の温度を調節するためのブロック構成を示す図。
【図８】非球面ミラー自体の温度を検出する温度検出部について説明する図。
【図９】ペルチェ素子を用いる場合の構成について説明する図。
【図１０】ファンにより光源部からの熱を非球面ミラーへ伝える構成の説明図。
【図１１】ヒータを用いる場合について説明する図。
【図１２】非球面ミラーの周辺の温度を調節するためのブロック構成を示す図。
【図１３】非球面ミラー以外の他の構成を冷却するファンを用いる場合の図。
【図１４】実施例の変形例に係るプロジェクタの特徴的部分を説明する図。
【符号の説明】
【００６０】
１０  プロジェクタ、１１  光学エンジン、１２  投写レンズ、１３  平面ミラー、１４  非球面ミラー、１５  出射部、１６  スクリーン、１７  筐体、Ｃ  キャビネット、Ｗ  壁面、２０  光源部、２１  第１インテグレータレンズ、２２  第２インテグレータレンズ、２３  偏光変換素子、２４  重畳レンズ、２５  反射ミラー、２６  第１ダイクロイックミラー、２７  反射ミラー、２８  フィールドレンズ、２９Ｒ  Ｒ光用空間光変調装置、２９Ｇ  Ｇ光用空間光変調装置、２９Ｂ  Ｂ光用空間光変調装置、３０  クロスダイクロイックプリズム、３１  第２ダイクロイックミラー、３２  リレーレンズ、３３  反射ミラー、３４  リレーレンズ、３５  反射ミラー、３６  第１ダイクロイック膜、３７  第２ダイクロイック膜、ＡＸ  光軸、Ｎ  法線、４０  ファン、Ｓ１、Ｓ２、Ｓ３  反射面、４１  第１温度検出部、４２  第２温度検出部、４３  温度制御部、４４  ファン駆動部、５１  温度検出部、５２  ペルチェ素子、５３  ヒータ、５４  ヒータ駆動部、６０  ファン、７０  画像処理部
【図１】
2008145623.tif 000003
【図２】
2008145623.tif 000004
【図３】
2008145623.tif 000005
【図４】
2008145623.tif 000006
【図５】
2008145623.tif 000007
【図６】
2008145623.tif 000008
【図７】
2008145623.tif 000009
【図８】
2008145623.tif 000010
【図９】
2008145623.tif 000011
【図１０】
2008145623.tif 000012
【図１１】
2008145623.tif 000013
【図１２】
2008145623.tif 000014
【図１３】
2008145623.tif 000015
【図１４】
2008145623.tif 000016